(57)【要約】【課題】気泡径を均一に小さく、数密度を増加させるように調整し、白濁性能を低下させずに溶存気体濃度を向上させることができる微細気泡生成ノズルを提供すること。【解決手段】太径部を前後に挟んだ減圧部を直列に複数備え、気体溶解水を入口端の太径部より出口端の太径部へと流して、減圧部で気泡を発生させる気体発生装置の微細気泡生成ノズル１であって、上流側の減圧部１１１から太径部１０２に至る間の圧力損失が下流側の減圧部１１２から太径部１０３に至る間の圧力損失より大きくなるように気体溶解水の流路の形状を形成したことを特徴とする。【選択図】図１
2013086076.tif 000002
【特許請求の範囲】
【請求項１】
太径部を前後に挟んだ減圧部を直列に複数備え、気体溶解水を入口端の太径部より出口端の太径部へと流して、減圧部で気泡を発生させる気体発生装置の微細気泡生成ノズルであって、上流側の減圧部から太径部に至る間の圧力損失が下流側の減圧部から太径部に至る間の圧力損失より大きくなるように気体溶解水の流路の形状を形成したことを特徴とする微細気泡生成ノズル。
【請求項２】
減圧部の形状を下流ほど内径を太く形成することを特徴とする請求項１に記載の微細気泡生成ノズル。
【請求項３】
減圧部から太径部に至る間の傾斜角を下流ほど小さく形成することを特徴とする請求項１又は２に記載の微細気泡生成ノズル。
【請求項４】
太径部から減圧部へ流入する流入部の角度を下流ほど大きく形成することを特徴とする請求項１から３のいずれか一項に記載の微細気泡生成ノズル。
【発明の詳細な説明】
【技術分野】
【０００１】
本発明は、微細気泡生成ノズルに関するものである。
【背景技術】
【０００２】
直径が０．１〜１００μｍ程度の微細気泡は、比表面積が大きく、内部圧力が高く、吸着性があるなどの特徴を有することから、浄化作用、生理活性、抗力低減などの様々な効果が期待され、その応用に向けて検討が進められている。
【０００３】
例えば、浴槽内の湯水中に上記微細気泡を、微細気泡発生装置により発生させて白濁させ、牛乳風呂のような趣を与えるとともに、肌の保湿効果などの温泉に匹敵する入浴の効能を得ることがこれまでに行われている。
【０００４】
従来の微細気泡発生装置の構成例を図４に示す。この構成例では、ポンプＰの上流に気体溶解部２が設けられ、気体溶解部２と吸水部３が水流路３１で配管されている。
【０００５】
また、気体溶解部２と吸気部４とが空気流路４１で配管されており、ポンプＰの運転により吸水部３から取り込まれた水と、吸気部４から取り込まれた空気は気体溶解部２内で混合されて、水に気体が溶解した気体溶解水が生成される。
【０００６】
気体溶解水は気体溶解部２から気体溶解水路２１の配管を通してポンプＰに送られ、ポンプＰの吐出側に接続された気体溶解水路２２に送出される。
【０００７】
ポンプＰの吐出側から送出された気体溶解水は、気体溶解水路２２の配管を通して微細気泡生成ノズル１に導入され、微細気泡生成ノズル１内で液体のキャビテーションを利用して微細気泡を生成させ、微細気泡が生成した気体溶解水は微細気泡生成ノズル１から送出される。
【０００８】
このような微細気泡発生装置に関し、微細気泡の気泡粒径の細分化及び気泡発生効率の向上を目的とした微細気泡発生装置が特許文献１に記載されている。
【０００９】
特許文献１に記載された微細気泡発生装置は、旋回部材を設けたベンチュリ管を複数直列に備え、液体の流れを旋回流とさせて流速を上げながらベンチュリ管を通過させることにより、気泡粒径の細分化及び気泡発生効率の向上を実現するものである。
【先行技術文献】
【特許文献】
【００１０】
【特許文献１】特開２０１０−２４０５９２号公報
【発明の概要】
【発明が解決しようとする課題】
【００１１】
微細気泡発生装置においては、気泡径を均一に、また数密度を増加するように調整し、気体溶解水の白濁性能を低下させずに溶存気体濃度を向上させることが望まれているが、特許文献１に記載された微細気泡発生装置では、同型の旋回部材を設けたベンチュリ管を単に複数繋ぎ合せた構成であり、気泡径を均一に小さく、数密度を増加させるように調整したり、気体溶解水の白濁性能を低下させずに溶存気体濃度を向上させることまでは考慮されていない。
【００１２】
本発明は、以上のとおりの事情に鑑みてなされたものであり、気泡径を均一に小さく、数密度を増加させるように調整し、白濁性能を低下させずに溶存気体濃度を向上させることができる微細気泡生成ノズルを提供することを課題としている。
【課題を解決するための手段】
【００１３】
本発明は、上記の課題を解決するために、以下の特徴を有している。
【００１４】
即ち、本発明の微細気泡生成ノズルは、太径部を前後に挟んだ減圧部を直列に複数備え、気体溶解水を入口端の太径部より出口端の太径部へと流して、減圧部で気泡を発生させる気体発生装置の微細気泡生成ノズルであって、上流側の減圧部から太径部に至る間の圧力損失が下流側の減圧部から太径部に至る間の圧力損失より大きくなるように気体溶解水の流路の形状を形成したことを特徴とする。
【００１５】
この微細気泡生成ノズルにおいて、減圧部の形状を下流ほど太径に形成することが好ましい。
【００１６】
また、前記微細気泡生成ノズルにおいて、減圧部から太径部に至る間の傾斜角を下流ほど小さく形成することが好ましい。
【００１７】
さらに、前記微細気泡生成ノズルにおいて、太径部から減圧部へ流入する流入部の角度を下流ほど大きく形成することが好ましい。
【発明の効果】
【００１８】
本発明によれば、上流側の減圧部から太径部に至る間の圧力損失が下流側の減圧部から太径部に至る間の圧力損失より大きくなるように気体溶解水の水流路の形状を形成することにより、気泡径を略均一に小さく、数密度を増加させるように調整し、白濁性能を低下させずに溶存気体濃度を向上させることができる。
【図面の簡単な説明】
【００１９】
【図１】本発明の第１の実施形態の微細気泡生成ノズルを示す概略断面図である。
【図２】本発明の第２の実施形態の微細気泡生成ノズルを示す概略断面図である。
【図３】本発明の第３の実施形態の微細気泡生成ノズルを示す概略断面図である。
【図４】従来の微細気泡発生装置を例示した構成図である。
【発明を実施するための形態】
【００２０】
本発明の微細気泡生成ノズルは、太径部を前後に挟んだ減圧部を直列に複数備えた構成であり、上流側の減圧部から太径部に至る間の圧力損失が下流側の減圧部から太径部に至る間の圧力損失より大きくなるように気体溶解水の流路の形状を形成したものである。
【００２１】
本発明の微細気泡生成ノズルに気体溶解水を流すと、太径部に挟まれた該太径部よりも径の小さい減圧部によって水流速度が増加し、減圧部にキャビテーションが発生する。このように発生する気泡の状態は、減圧部のキャビテーションの状態によって決定する。
【００２２】
具体的には、前記キャビテーションにおいて、気泡キャビテーションの状態では気泡径が最も小さく、シートキャビテーションの状態では気泡径は大きいが数密度が高い。
【００２３】
減圧部の水流速度を増加させると、気泡キャビテーションが発生し、更に水流速度を増加させると気泡キャビテーションからシートキャビテーションへ遷移する。
【００２４】
本発明の微細気泡生成ノズルでは、太径部の間に減圧部を設けたものを複数直列に備えた構成とし、この減圧部及び、減圧部と減圧部の間の太径部の圧力を所望の圧力となるように設計することにより、複数個ある減圧部それぞれを略同じキャビテーションの状態とすることを特徴としている。
【００２５】
即ち、上流側の減圧部の圧力損失を下流側の圧力損失より大きくなるような条件で減圧部及び太径部の流路を設計して、全てのキャビテーションの発生部の水流状態を一定にすることにより、数密度を増加させるとともに略均一な直径の気泡を生成させ、白濁性能を低下させずに溶存気体濃度を向上させることが可能となる。
【００２６】
以下に、本発明の微細気泡生成ノズルの実施形態について図面を用いて説明する。図１は本発明の微細気泡生成ノズルの第１の実施形態を示した概略断面図である。
【００２７】
第１の実施形態の微細気泡生成ノズル１では、太径部１０１と太径部１０２の間に減圧部１１１を設け、太径部１０２と太径部１０３の間に減圧部１１２を設け、さらに太径部１０３と太径部１０４の間に減圧部１１３を設け、減圧部１１１、１１２、１１３を３個設けた構成となっている。
【００２８】
第１図に示す微細気泡生成ノズル１の構成では、左側から右側に向けて矢印５の方向に気体溶解水を流水させる。
【００２９】
そして、減圧部１１１の流路の径は減圧部１１２の径よりも細く、減圧部１１２の流路の径は減圧部１１３の径よりも細くなっており、減圧部１１１〜１１３の流路形状は下流ほど太径に形成されている。
【００３０】
このような構成とすることにより、圧力損失を簡易に調整することができ、水流速度を略一定に設定することができる。
【００３１】
このような構成の本発明の微細気泡生成ノズル１において、気泡径を小さくしながら大量の気泡を生成させるためには、全ての減圧部１１１〜１１３を気泡キャビテーションの状態とするような設計とすればよい。
【００３２】
そのためには、下記式（１）〜（４）を満足する減圧部及び太径部を直列に構成することで実現可能となる。
【００３３】
なお、図１中のＰ１、Ａ１は減圧部１１１の流入部の圧力及び断面積、Ｐ２、Ａ２は太径部１０２の圧力及び断面積、Ｐ３、Ａ３は減圧部１１２の流入部の圧力及び断面積、Ｐ４、Ａ４は太径部１０３の圧力及び断面積、Ｐ５、Ａ５は減圧部１１３の流入部の圧力及び断面積、Ｐ６、Ａ６は太径部１０４の圧力及び断面積を表す。
【００３４】
【数１】
2013086076.tif 000003
【００３５】
【数２】
2013086076.tif 000004
【００３６】
【数３】
2013086076.tif 000005
【００３７】
【数４】
2013086076.tif 000006
【００３８】
【数５】
2013086076.tif 000007
【００３９】
次に、図２を用いて本発明の微細気泡生成ノズルの第２の実施形態を説明する。
【００４０】
第２の実施形態の微細気泡生成ノズル１では、太径部１０１と太径部１０２の間に減圧部１１１を設け、太径部１０２と太径部１０３の間に減圧部１１２を設け、太径部１０３と太径部１０４の間に減圧部１１３を設けた構成であり、さらに減圧部１１１から太径部１０２、減圧部１１２から太径部１０３、減圧部１１３から太径部１０４に至るそれぞれの内壁が連続した傾斜角を有する構成となっている。
【００４１】
また、減圧部１１１から太径部１０２に至る傾斜角をθ１、減圧部１１２から太径部１０３に至る傾斜角をθ２、減圧部１１３から太径部１０４に至る傾斜角をθ３とした場合、θ１＞θ２＞θ３の条件となるように下流ほど傾斜角を小さくした構成となっている。
【００４２】
この構成では、傾斜角が小さくなるほど圧力損失は小さくなる。
【００４３】
なお、この構成の設計においても、上記式（１）〜（４）を満足する設計とすることにより、本願発明の効果を発現することが可能となる。
【００４４】
この構成によれば、圧力損失を傾斜角によって調整することができるため、微細気泡生成ノズルを小型に設計することができる。
【００４５】
次に、図３を用いて本発明の微細気泡生成ノズルの第３の実施形態を説明する。
【００４６】
第３の実施形態の微細気泡生成ノズル１では、太径部１０１と太径部１０２の間に減圧部１１１を設け、太径部１０２と太径部１０３の間に減圧部１１２を設け、太径部１０３と太径部１０４の間に減圧部１１３を設け、さらに太径部１０１から減圧部１１１、太径部１０２から減圧部１１２、太径部１０３から減圧部１１３に流入する流入部（境界部）を、突起面１２１、直角面１２２、傾斜面１２３として、下流ほど角度を大きく形成した構成としている。
【００４７】
この構成において流入部の水流速度Ｖ１、Ｖ３、Ｖ５を、Ｖ１＝Ｖ３＝Ｖ５となるように設計すればよい。
【００４８】
またこの構成の設計においても、上記式（１）〜（４）を満足する設計とすることにより、本願発明の効果を発現することが可能となる。
【００４９】
この構成のように、減圧部１１１〜１１３の流入部の形状を下流ほど角度を大きくすることにより、減圧部１１１〜１１３の水流速度を調整することが可能となり、また、減圧部と太径部の内径を変更する必要がないため、微細気泡生成ノズルを小型に設計することができる。
【００５０】
上記に説明した第１〜第３の実施形態の微細気泡生成ノズルとすることにより、気泡径を略均一に小さく、数密度を増加させるように調整することが可能となり、白濁性能を低下させずに溶存気体濃度を向上させることができる微細気泡生成ノズルとすることができる。
【００５１】
なお、第１〜第３の実施形態の説明では、減圧部を３個の実施形態で説明したが、減圧部は２個以上であれば制限なく設計することが可能である。
【００５２】
また、第１〜第３の実施形態のそれぞれの構成を組み合わせて設計することも可能である。
【００５３】
本発明の微細気泡生成ノズルでは、上記で説明した効果に加え、気体溶解水の水流路の分岐をなくし、一穴の減圧部を直列に備えたので、気体溶解水中の異物の引っかかりを防止し、メンテナンス頻度を軽減する効果も有する。
【符号の説明】
【００５４】
１  微細気泡生成ノズル
５  気体溶解水流水方向
１０１〜１０４  太径部
１１１〜１１３  減圧部
１２１  突起面
１２２  直角面
１２３  傾斜面
【図１】
2013086076.tif 000008
【図２】
2013086076.tif 000009
【図３】
2013086076.tif 000010
【図４】
2013086076.tif 000011